【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
複数のサービスモジュールが動作する情報処理装置と、第１管理システムを含むネットワークシステムであって、
前記情報処理装置は、
前記複数のサービスモジュールのそれぞれの第１管理システムに対する接続先を示す情報と、接続先を問い合せるための接続情報とを管理する管理手段と、
前記いずれかのサービスモジュールにより、要求を送信する要求手段と、
前記要求に対する前記第１管理システムから受信した応答が接続先の変更を通知するための所定の応答であった場合に、該所定の応答で指定された接続先の問い合せ先を示す情報を利用して、新たな接続先を取得する第１取得手段と、
前記管理手段で管理される、前記要求を送信したサービスモジュールの接続先を示す情報を前記第１取得手段により取得された新たな接続先を示す情報に更新し、前記接続情報を前記所定の応答で指定された接続先の問い合せ先を示す情報に更新する更新手段と、
前記管理手段で管理される、前記更新手段により接続先を示す情報が更新されたサービスモジュール以外のサービスモジュールの接続先を示す情報を削除または所定値に変更する第１変更手段と、を有し、
前記要求手段は、前記第１取得手段により取得された新たな接続先に対して、要求を送信し、
前記第１管理システムは、
前記要求を受信した場合に、接続先の問い合せ先を示す情報を指定した前記所定の応答を送信する応答手段を有する、
ことを特徴とするネットワークシステム。
【請求項２】
第１管理システムと通信可能であり、複数のサービスモジュールが動作する情報処理装置であって、
前記複数のサービスモジュールのそれぞれの第１管理システムに対する接続先を示す情報と、接続先を問い合せるための接続情報とを管理する管理手段と、
前記いずれかのサービスモジュールにより、要求を送信する要求手段と、
前記要求に対する前記第１管理システムから受信した応答が接続先の変更を通知するための所定の応答であった場合に、該所定の応答で指定された接続先の問い合せ先を示す情報を利用して、新たな接続先を取得する第１取得手段と、
前記管理手段で管理される、前記要求を送信したサービスモジュールの接続先を示す情報を前記第１取得手段により取得された新たな接続先を示す情報に更新し、前記接続情報を前記所定の応答で指定された接続先の問い合せ先を示す情報に更新する更新手段と、
前記管理手段で管理される、前記更新手段により接続先を示す情報が更新されたサービスモジュール以外のサービスモジュールの接続先を示す情報を削除または所定値に変更する第１変更手段と、を有し、
前記要求手段は、前記第１取得手段により取得された新たな接続先に対して、要求を送信することを特徴とする情報処理装置。
【請求項３】
前記サービスモジュールの接続先を示す情報が、前記管理手段に存在しない、又は、所定値であった場合には、前記管理手段により管理される接続情報を利用して、該サービスモジュールの接続先を示す情報を取得する第２取得手段を有することを特徴とする請求項２に記載の情報処理装置。
【請求項４】
前記第２取得手段は、前記複数のサービスモジュールのそれぞれについて、接続先を示す情報を取得することを特徴とする請求項３に記載の情報処理装置。
【請求項５】
前記更新手段は、前記第１取得手段により取得された新たな接続先に対して前記要求手段が行った前記要求の送信が失敗であった場合には、前記新たな接続先を示す情報を用いた更新を行わず、前記要求の送信が成功であった場合には、前記新たな接続先を示す情報を用いた更新を行うことを特徴とする請求項２乃至４のいずれか１項に記載の情報処理装置。
【請求項６】
前記要求に対する前記第１管理システムから受信した応答が接続先に対応するサービスへ接続できなかったことを示す応答であった場合に、前記管理手段により管理される、該接続先を示す情報を削除または所定値に変更する第２変更手段を有することを特徴とする請求項２乃至５のいずれか１項に記載の情報処理装置。
【請求項７】
前記第１管理システムからの前記所定の応答で指定された接続先の問い合せ先を示す情報を利用して取得された前記新たな接続先は、前記第１管理システムとは異なる第２管理システムの接続先を示すことを特徴とする請求項２乃至６のいずれか１項に記載の情報処理装置。
【請求項８】
第１管理システムと通信可能であり、複数のサービスモジュールが動作し、該複数のサービスモジュールのそれぞれの第１管理システムに対する接続先を示す情報と、接続先を問い合せるための接続情報とを管理する情報処理装置における制御方法であって、
前記いずれかのサービスモジュールにより、要求を送信する要求ステップと、
前記要求に対する前記第１管理システムから受信した応答が接続先の変更を通知するための所定の応答であった場合に、該所定の応答で指定された接続先の問い合せ先を示す情報を利用して、新たな接続先を取得する第１取得ステップと、
前記要求を送信したサービスモジュールの接続先を示す情報として管理された情報を前記第１取得ステップで取得された新たな接続先を示す情報に更新し、前記管理された接続情報を前記所定の応答で指定された接続先の問い合せ先を示す情報に更新する更新ステップと、
前記更新ステップで接続先を示す情報が更新されたサービスモジュール以外のサービスモジュールのために管理された接続先を示す情報を削除または所定値に変更する第１変更ステップと、を有し、
前記要求ステップでは、前記第１取得ステップで取得された新たな接続先に対して、要求が送信されることを特徴とする制御方法。
【請求項９】
コンピュータを、請求項２乃至７のいずれか１項に記載の手段として機能させるためのプログラム。
【手続補正２】
【補正対象書類名】明細書
【補正対象項目名】発明の名称
【補正方法】変更
【補正の内容】
【発明の名称】ネットワークシステム、情報処理装置、情報処理装置における制御方法、及びプログラム
【手続補正３】
【補正対象書類名】明細書
【補正対象項目名】０００１
【補正方法】変更
【補正の内容】
【０００１】
本発明は、複数のサービスモジュールが動作する情報処理装置と第１管理システムを含むネットワークシステム、情報処理装置、情報処理装置における制御方法、及びプログラムに関する。
【手続補正４】
【補正対象書類名】明細書
【補正対象項目名】００１２
【補正方法】変更
【補正の内容】
【００１２】
本発明は、複数のサービスモジュールが動作する情報処理装置と、第１管理システムを含むネットワークシステムであって、前記情報処理装置は、前記複数のサービスモジュールのそれぞれの第１管理システムに対する接続先を示す情報と、接続先を問い合せるための接続情報とを管理する管理手段と、前記いずれかのサービスモジュールにより、要求を送信する要求手段と、前記要求に対する前記第１管理システムから受信した応答が接続先の変更を通知するための所定の応答であった場合に、該所定の応答で指定された接続先の問い合せ先を示す情報を利用して、新たな接続先を取得する第１取得手段と、前記管理手段で管理される、前記要求を送信したサービスモジュールの接続先を示す情報を前記第１取得手段により取得された新たな接続先を示す情報に更新し、前記接続情報を前記所定の応答で指定された接続先の問い合せ先を示す情報に更新する更新手段と、前記管理手段で管理される、前記更新手段により接続先を示す情報が更新されたサービスモジュール以外のサービスモジュールの接続先を示す情報を削除または所定値に変更する第１変更手段と、を有し、前記要求手段は、前記第１取得手段により取得された新たな接続先に対して、要求を送信し、前記第１管理システムは、前記要求を受信した場合に、接続先の問い合せ先を示す情報を指定した前記所定の応答を送信する応答手段を有する、ことを特徴とする。